(57)【要約】      （修正有）【課題】離型シートを剥がしやすい履物用滑り止めパッドを提供する。【解決手段】表面シート１４と、自己粘着性の本体部１５と、離型シート１６からなる。離型シート１６は、横断方向に少なくとも１本のミシン目１７又は切断線を有する。【選択図】図６
0003173181.tif 000002
【実用新案登録請求の範囲】
【請求項１】
表面シート（１４）と、自己粘着性の本体部（１５）と、離型シート（１６）からなる履物用滑り止めパッド（１）において使用する前記離型シート（１６）であって、横断方向に少なくとも１本のミシン目（１７）を設けたことを特徴とする、履物用滑り止めパッドの離型シート。
【請求項２】
表面シート（１４Ａ）と、自己粘着性の本体部（１５Ａ）と、離型シート（１６Ａ）からなる履物用滑り止めパッド（１Ａ）において使用する前記離型シート（１６Ａ）であって、横断方向に少なくとも１本の切断線（１７Ａ）を設けたことを特徴とする、履物用滑り止めパッドの離型シート。
【請求項３】
表面シート（１４）と、自己粘着性の本体部（１５）と、離型シート（１６）からなる履物用滑り止めパッド（１）において使用する前記離型シート（１６）であって、横断方向に少なくとも１本のミシン目（１７）及び少なくとも１本の切断線（１７Ａ）を併用して設けたことを特徴とする、履物用滑り止めパッドの離型シート。
【考案の詳細な説明】
【技術分野】
【０００１】
本考案は履物用滑り止めパッドの離型シートに関する。履物としてはたとえば、ミュールやハイヒール型サンダルに適用するのに適しているが、その他一般の履物にも適用可能である。
【背景技術】
【０００２】
ミュールやハイヒール型サンダルにおいて、体の重心が前方に移動し、足がつま先の方向へ向かって滑りやすくなるのを防止するために、さまざまな滑り止めが知られている。ミュール等の上面にパッドを使用するタイプのものとしては、実用新案登録第３０８６９４１号、実用新案登録第３１２９８８９号などが公知である。
【０００３】
上記実用新案登録第３０８６９４１号の考案は、インソール表面上に装着して使用される透明または半透明のシリコーンゴム製の履物用滑り防止パッドである。このパッドの足裏当接側の中央部がその周縁部よりも隆起しており、前記隆起部分には多数のディンプルを設けているので、滑り止めの効果が得られる。
【０００４】
上記実用新案登録第３１２９８８９号の考案は、サンダル本体の上に設置する中敷きと、前記サンダル本体と前記中敷きの間に設けられる着脱自在に設定可能なパッドからなる。パッドの下面とサンダル本体又はパッドの上面と中敷きとの間も面ファスナにより接着可能である。
【考案の概要】
【考案が解決しようとする課題】
【０００５】
ミュールまたはインソールとパッドを接着させるには、上記実用新案登録第３０８６９４１号は自己粘着タイプであるが必要に応じて両面テープによるとしている。明言はないが、履物と別販売されるときは離型シートで付着面が覆われているものと思われる。上記実用新案登録第３１２９８８９号では面ファスナによるとしている。
【０００６】
本考案でも離型シート付きパッドを採用し、使用に当たってこの離型シートを剥がしてミュール等の表面に接着させる。
【０００７】
しかし、離型シートを剥がすのは意外に面倒なものである。たとえば離型シート付きの湿布剤などから離型シートを剥がして使用するときに、所望の位置に貼れなかったり、粘着剤で手を汚したりしたりした経験は誰にでもあるに違いない。
【０００８】
本考案では、履物用滑り止めパッドにおいて、離型シートを剥がしやすくすると共に、接着のやり直しを容易にすることを目的とする。
【課題を解決するための手段】
【０００９】
本考案は、表面シートと、自己粘着性の本体部と、離型シートからなる履物用滑り止めパッドにおいて使用する前記離型シートであって、横断方向に少なくとも１本のミシン目又は切断線を有することを特徴とする。
【００１０】
自己粘着性の本体部はたとえばシリコーンゴムからなる。前記離型シートは前記本体と同じ大きさでもよいし、前記本体よりも大きくして踏み出し部分を有するものであってもよい。ミシン目又は切断線の設定位置は滑り止めパッドを１：３〜１：７程度に仕切る位置が好ましい。
【考案の効果】
【００１１】
本考案によれば、離型シートには少なくとも１本のミシン目又は切断線があるので、履物への取り付けが容易になる。ミシン目又は切断線の位置で一時的な固定ができるからである。         
【図面の簡単な説明】
【００１２】
【図１】滑り止めパッドがミュールに使用されている状態を示す斜視図である。
【図２】図１のII線断面図である。
【図３】図１のIII−III線断面図である。
【図４】滑り止めパッドの斜視図である。
【図５】滑り止めパッドの（ａ）平面図、（ｂ）側面図、（ｃ）底面図である。
【図６】（ａ）〜（ｄ）は、離型シートの剥がし方を示す各段階の側面図である。
【図７】第２実施例に係る滑り止めパッドの（ａ）平面図、（ｂ）側面図、（ｃ）底面図である。
【考案を実施するための形態】
【００１３】
以下、添付の図面に基づき、本考案の離型シートの実施例を説明する。
【実施例１】
【００１４】
離型シートが接着される滑り止めパッド１は、図１〜３に示すように、ミュールＭの上面に接着させて使用する。体の重心が前方に移動し、足がつま先の方向へ向かって滑りやすくなるのを防止するためである。
【００１５】
この滑り止めパッド１は、透明または半透明のシリコーンゴム製のものである。その外形はなだらかな丘状又は階段状に隆起した表面を有する。成型時の構造は、たとえば、図６に示すように、上面側（使用者側）シート１４と、シリコーンゴムの本体１５と、背面側（ミュール側）離型シート１６の３層からなる。使用時は、離型シート１６を外すので２層状態である。
【００１６】
本考案の特徴である離型シートは、図５（ｃ）に示すように、少なくとも１個所にミシン目１７を横断方向に有する。このミシン目１７が先端部分１８と主要部分１９の境界となる。ミシン目１７の設定位置は滑り止めパッドを１：３〜１：７程度に仕切る位置が好ましい。
【００１７】
この離型シート１６を滑り止めパッド１から剥がすには、図６に示すように、離型シート付きの状態（ａ）から、ミュールにおける滑り止めパッド１の取付位置を決定した後、ミシン目１７を境に離型シート先端部１８を使用者側に引きはがし（ｂ）、その位置でよければ、離型シート１６を矢印方向に引っ張って引きはがし（ｃ）、最終的に（ｄ）の状態とする。（ｂ）の段階で取付位置が不適当であると分かったときには、（ｂ）工程をやり直す。
【００１８】
ミシン目１７のそれぞれの目の大きさは、成型時に溶融状態のシリコーンゴムが目から流れ出さない程度のものであることが好ましい。
【００１９】
滑り止めパッドの本体１５であるシリコーンゴムは自己粘着性なので、別に粘着剤を用いることなく、ミュールＭに付着する。また、埃などが侵入して粘着度が低下したときには洗って再使用が可能である。
【実施例２】
【００２０】
図７は本考案に係る離型シートの第２実施例である。第１実施例と異なるのは、離型シート１６Ａがシリコーンゴムの本体１５Ａよりも大きく、その結果、本体からはみ出し部分２０を形成していることと、ミシン目の代わりに完全に切断している切断線１７Ａとしていることである。離型シートの切断ははみ出し部分２０にも及んで、Ｖ字部２１を形成している。
【００２１】
その他、第１実施例と同じ要素には第１実施例の符号に「Ａ」を付してその説明を省略する。
【実施例３】
【００２２】
図示していないが、前記第１、第２実施例において、ミシン目又は切断線を２本以上設けることもできる。たとえば２本設けたとき、１本のときと較べて、滑り止めパッドを仕切る位置を２段階に異ならせることができる。そのため、２本目が滑り止めパッドの中央側にあれば、はがしにくくはなるが、先端付着面の面積がそれだけ増えるので仮止めが安定する効果が得られる。履物の種類に応じて使い分けることができる。
【実施例４】
【００２３】
さらに、ミシン目又は切断線を２本以上設けるとき、１つの滑り止めパッドにおいてミシン目又は切断線を併用することもできる。それにより、仕切位置においてミシン目及び切断線の長所を使い分けることができる。
【符号の説明】
【００２４】
１     パッド
１４   シート
１５   本体
１５Ａ 本体
１６   離型シート
１６Ａ 離型シート
１７   ミシン目
１７   離型シート
１７Ａ 切断線
１８   離型シート先端部分
１９   主要部分
２０   はみ出し部分
２１   Ｖ字部
【先行技術文献】
【特許文献】
【００２５】
【特許文献１】実用新案登録第３０８６９４１号
【特許文献２】実用新案登録第３１２９８８９号
【図１】
0003173181.tif 000003
【図２】
0003173181.tif 000004
【図３】
0003173181.tif 000005
【図４】
0003173181.tif 000006
【図５】
0003173181.tif 000007
【図６】
0003173181.tif 000008
【図７】
0003173181.tif 000009